(57)【特許請求の範囲】
【請求項１】
（Ａ）テトラフルオロエチレン−プロピレン共重合体５０〜９０質量％、および（Ｂ）ポリオレフィン１０〜５０質量％からなるベースポリマー１００質量部に対し、（Ｃ）エチレンビス（ペンタブロモフェニル）１〜３０質量部、および（Ｄ）三酸化アンチモン１０〜５０質量部を含有する電気絶縁性組成物からなる被覆を有することを特徴とする耐熱難燃絶縁電線。
【請求項２】
前記ベースポリマーは、（Ａ）テトラフルオロエチレン−プロピレン共重合体５５〜８５質量％、および（Ｂ）ポリオレフィン１５〜４５質量％からなることを特徴とする請求項１記載の耐熱難燃絶縁電線。
【請求項３】
前記ベースポリマー１００質量部に対し、（Ｃ）エチレンビス（ペンタブロモフェニル）２〜１５質量部、および（Ｄ）三酸化アンチモン１５〜３５質量部を含有することを特徴とする請求項１または２記載の耐熱難燃絶縁電線。
【請求項４】
前記（Ｂ）成分は、エチレン・アクリル酸エチル共重合体を含むことを特徴とする請求項１乃至３のいずれか１項記載の耐熱難燃絶縁電線。
【請求項５】
前記ベースポリマー１００質量部に対し、さらに（Ｅ）無機充填剤１〜２００質量部を含有することを特徴とする請求項１乃至４のいずれか１項記載の耐熱難燃絶縁電線。
【請求項６】
前記（Ｅ）成分は、炭酸カルシウムを含むことを特徴とする請求項５記載の耐熱難燃絶縁電線。
【請求項７】
前記電気絶縁性組成物が架橋されていることを特徴とする請求項１乃至５のいずれか１項記載の耐熱難燃絶縁電線。
【請求項８】
電線全体として、ＶＷ−１垂直燃焼試験（ＵＬ  １５８１）に合格する難燃性を有するとともに、前記電気絶縁性組成物からなる被覆の熱老化（１８０℃、３３６時間）後の引張強さが４．０ＭＰａ以上で、引張伸びが５０％以上であることを特徴とする請求項１乃至７のいずれか１項記載の耐熱難燃絶縁電線。
【発明の詳細な説明】
【技術分野】
【０００１】
本発明は、耐熱性、難燃性および作業性に優れる絶縁電線に関する。
【背景技術】
【０００２】
近時、ガス器具や電子レンジのモータ線などの用途に、耐熱性と難燃性を併せ持つ絶縁電線のニーズが増大している。具体的には、電気用品の技術基準に基づく耐熱温度１３０〜１５０℃の耐熱性と、ＵＬ規格の垂直燃焼試験（ＶＷ−１）に合格する難燃性を有する絶縁電線である。
【０００３】
この種の絶縁電線としては、例えばエチレン系共重合体に特定の難燃剤を組み合わせて配合した組成物を被覆材料として用いた絶縁電線が知られている（例えば、特許文献１参照。）。しかし、上記要求を十分に満足する特性を備えるものではなかった。
【０００４】
一方、テトラフルオロエチレン−プロピレン共重合体に代表されるフッ素ゴムを絶縁材料として用いた電線が知られている。フッ素ゴムは、耐熱性、耐油性、耐薬品性、耐老化性、耐候性、電気絶縁性などに優れており、これを用いた電線は高い耐熱性を備えている。
【０００５】
しかし、フッ素ゴムは、未架橋状態では粘着性が強く、未架橋状態でドラムに巻き取る際など、被覆同士が接触した場合に、被覆の形状が変化したり外観が損なわれたりするおそれがあった。このため、（押出）成形工程と架橋工程を連続して行う必要があり、作業性に問題がある。また、フッ素ゴムは非常に高価であるため、これまで、自動車などのエンジン周りの配線用電線など、２００℃を超えるような過酷な高温環境下で使用される特殊な電線の被覆にその用途が限られていた。
【先行技術文献】
【特許文献】
【０００６】
【特許文献１】特開２００７−１１９５１５号公報
【発明の概要】
【発明が解決しようとする課題】
【０００７】
本発明は、このような従来の事情に対処してなされたもので、耐熱性と難燃性を併せ持ち、しかも作業性が良好で価格も安価な絶縁電線を提供することを目的とする。
【課題を解決するための手段】
【０００８】
本発明の第１の態様である耐熱難燃絶縁電線は、（Ａ）テトラフルオロエチレン−プロピレン共重合体５０〜９０質量％、および（Ｂ）ポリオレフィン１０〜５０質量％からなるベースポリマー１００質量部に対し、（Ｃ）エチレンビス（ペンタブロモフェニル）１〜３０質量部、および（Ｄ）三酸化アンチモン１０〜５０質量部を含有する電気絶縁性組成物からなる被覆を有するものである。
【０００９】
本発明の第２の態様は、第１の態様の耐熱難燃絶縁電線において、前記ベースポリマーは、（Ａ）テトラフルオロエチレン−プロピレン共重合体５５〜８５質量％、および（Ｂ）ポリオレフィン１５〜４５質量％からなるものである。
【００１０】
本発明の第３の態様は、第１の態様または第２の態様の耐熱難燃絶縁電線において、前記ベースポリマー１００質量部に対し、（Ｃ）エチレンビス（ペンタブロモフェニル）２〜１５質量部、および（Ｄ）三酸化アンチモン１５〜３５質量部を含有するものである。
【００１１】
本発明の第４の態様は、第１の態様乃至第３の態様のいずれかの態様である耐熱難燃絶縁電線において、前記（Ｂ）成分は、エチレン・アクリル酸エチル共重合体を含むものである。
【００１２】
本発明の第５の態様は、第１の態様乃至第４の態様のいずれかの態様である耐熱難燃絶縁電線において、前記ベースポリマー１００質量部に対し、さらに、（Ｅ）無機充填剤１〜２００質量部を含有するものである。
【００１３】
本発明の第６の態様は、第５の態様の耐熱難燃絶縁電線において、前記（Ｅ）成分が、炭酸カルシウムを含むものである。
【００１４】
本発明の第７の態様は、第１の態様乃至第６の態様のいずれかの態様の耐熱難燃絶縁電線において、前記電気絶縁性組成物が架橋されているものである。
【００１５】
本発明の第８の態様は、第１の態様乃至第７の態様のいずれかの態様の耐熱難燃絶縁電線において、電線全体として、ＶＷ−１垂直燃焼試験（ＵＬ  １５８１）に合格する難燃性を有するとともに、前記電気絶縁性組成物からなる被覆の熱老化（１８０℃、３３６時間）後の引張強さが４．０ＭＰａ以上で、引張伸びが５０％以上であるものである。
【発明の効果】
【００１６】
本発明の耐熱難燃絶縁電線によれば、優れた耐熱性と難燃性を併せ持つことができるとともに、作業性が良好で、価格も安価なものとすることができる。
【図面の簡単な説明】
【００１７】
【図１】本発明の耐熱難燃絶縁電線の一実施形態を示す横断面図である。
【発明を実施するための形態】
【００１８】
以下、本発明の実施の形態について説明する。
【００１９】
まず、本発明の耐熱難燃絶縁電線に使用される電気絶縁性組成物について説明する。
【００２０】
本発明で使用される電気絶縁性組成物のベースポリマーを構成する（Ａ）成分のテトラフルオロエチレン−プロピレン共重合体は、代表的には下記式で示す基本骨格を有するポリマーであり、例えば、テトラフルオロエチレンとプロピレンを低温乳化重合することにより得られる。
【化１】
0005425973.tif 000002
（式中、ｎおよびｍは、それぞれ１以上の整数を表す）
【００２１】
このテトラフルオロエチレン−プロピレン共重合体は、第３成分として、共重合可能なモノマー、例えば、エチレン、イソブチレン、アクリル酸およびそのアルキルエステル、メタクリル酸およびそのアルキルエステル、フッ化ビニル、フッ化ビニリデン、ヘキサフルオロプロペン、クロロエチルビニルエーテル、クロロトリフルオロエチレン、パーフルオロアルキルビニルエーテルなどの１種以上を適当量含んでいてもよい。（Ａ）成分のテトラフルオロエチレン−プロピレン共重合体は、１種を単独で使用してもよく、２種以上を混合して使用してもよい。
【００２２】
（Ａ）成分として使用されるテトラフルオロエチレン−プロピレン共重合体の市販品を例示すると、例えば旭硝子（株）製のＡＦＬＡＳ １５０ＣＳ（比重：１．５５、フッ素含有量：５７％、ムーニー粘度ＭＬ１＋１０（１００℃）：１４０、ムーニー粘度ＭＬ１＋１０（１２１℃）：１００）、同ＡＦＬＡＳ １５０Ｃ（比重：１．５５、ムーニー粘度ＭＬ１＋１０（１００℃）：＞１６０）、同ＡＦＬＡＳ １５０Ｅ（比重：１．５５、ムーニー粘度ＭＬ１＋１０（１００℃）：６０、ムーニー粘度ＭＬ１＋１０（１２１℃）：４５）（以上、商品名）などが挙げられる。
【００２３】
本発明で用いられる（Ｂ）成分のポリオレフィンとしては、例えば、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、直鎖状低密度ポリエチレン（ＬＬＤＰＥ）などのポリエチレン；ポリプロピレン（ＰＰ）；ポリイソブチレン；エチレンに、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−ノナデセン、１−エイコセン、４−メチル−１−ペンテンなどのα−オレフィンを共重合させたエチレン・α−オレフィン共重合体；エチレンに、アクリル酸メチル、アクリル酸エチル、アクリル酸イソプロピル、アクリル酸イソブチル、アクリル酸ｎ−ブチル、アクリル酸イソオクチル、アクリル酸‐２‐エチルヘキシル、メタクリル酸メチル、メタクリル酸エチル、アクリル酸イソブチル、マレイン酸ジメチル、マレイン酸ジエチルなどの不飽和カルボン酸エステルを共重合させたエチレン・不飽和カルボン酸エステル共重合体；エチレンに、酢酸ビニル、プロピオン酸ビニル、酪酸ビニル、パーサティック酸ビニル、ラウリン酸ビニル、ステアリン酸ビニル、安息香酸ビニル、サリチル酸ビニル、シクロヘキサンカルボン酸ビニルなどのビニルエステルを共重合させたエチレン・ビニルエステル共重合体；イソブチレン・イソプレン共重合体などが挙げられる。ポリプロピレンは、プロピレンのホモポリマーのみならず、エチレンとのランダムコポリマーやブロックコポリマー、少量のα−オレフィンとの共重合体なども使用することができる。α−オレフィンとしては、例えば１−ブテン、１−ペンテン、１−ヘキセン、１−オクテン、４−メチル−１−ペンテンなどが挙げられる。プロピレン・αオレフィン共重合体には、非共役ポリエンがさらに共重合されていてもよい。非共役ポリエンとしては、例えばジシクロペンタジエン、１，４−ヘキサジエン、エチリデンノルボルネン、ビニルノルボルネンなどが挙げられる。これらは１種を単独で使用してもよく、２種以上を組み合わせて使用してもよい。
【００２４】
ポリオレフィンとしては、なかでも、低密度ポリエチレン、直鎖状低密度ポリエチレン、エチレン・アクリル酸エチル共重合体が好ましく、耐熱性に優れる点から、エチレン・アクリル酸エチル共重合体がより好ましい。エチレン・アクリル酸エチル共重合体の市販品を例示すると、例えば、日本ポリエチレン（株）製のレクスパールＥＥＡ Ａ１１５０（密度：０．９３２ｇ／ｃｍ３、ＭＦＲ：０．８ｇ／１０ｍｉｎ、アクリル酸エチル含有量：１５質量％、融点（ＤＳＣ法）１００℃、酸素指数１０．０；商品名）などが挙げられる。
【００２５】
本発明で使用される電気絶縁性組成物のベースポリマーにおける上記（Ａ）成分および（Ｂ）成分の混合割合は、（Ａ）成分のテトラフルオロエチレン−プロピレン共重合体が５０〜９０質量％、（Ｂ）成分のポリオレフィンが１０〜５０質量％である。（Ａ）成分の割合が５０質量％未満では、耐熱性が低下するだけでなく、機械的特性や耐候性なども低下する。また、（Ａ）成分の割合が９０質量％を超えると、加工性が低下する。また、未架橋状態での粘着性が大きくなるとともに、低コスト化も困難になる。好ましくは（Ａ）成分のテトラフルオロエチレン−プロピレン共重合体が５５〜８５質量％、（Ｂ）成分のポリオレフィンが１５〜４５質量％であり、より好ましくは、（Ａ）成分のテトラフルオロエチレン−プロピレン共重合体が６５〜７５質量％、（Ｂ）成分のポリオレフィンが２５〜３５質量％である。
【００２６】
本発明で使用される電気絶縁性組成物に配合される（Ｃ）成分のエチレンビス（ペンタブロモフェニル）は、臭素系難燃材として知られている下記式で示される化合物である。（Ｃ）成分として好適に使用される市販品を具体的に例示すると、例えばＳＡＹＴＥＸ８０１０（ＡＬＢＥＭＡＲＬＥ社製  商品名）などが挙げられる。
【化２】
0005425973.tif 000003
【００２７】
この（Ｃ）成分のエチレンビス（ペンタブロモフェニル）の配合量は、前述したベースポリマーの構成成分である（Ａ）成分および（Ｂ）成分の合計量１００質量部に対して１〜３０質量部であり、好ましくは２〜１５質量部であり、より好ましくは３〜７質量部である。配合量が１質量部未満では十分な難燃性が得られず、３０質量部を超えると、機械的特性が低下するおそれがある。
【００２８】
なお、本発明においては、本発明の効果を阻害しない範囲で、上記エチレンビス（ペンタブロモフェニル）以外の臭素系難燃剤を少なくとも１種併用することができる。併用する臭素系難燃剤としては、例えばエチレンビステトラブロモフタルイミド、デカブロモジフェニルオキサイド、テトラデカブロモジフェノキシベンゼンなどが挙げられる。
【００２９】
本発明で使用される電気絶縁性組成物に配合される（Ｄ）成分の三酸化アンチモンは、難燃助剤として作用する成分である。この（Ｄ）成分の三酸化アンチモンは、前述したベースポリマー成分の合計量１００質量部に対して１０〜５０質量部配合される。好ましくは１５〜３５質量部であり、より好ましくは１５〜２５質量部である。配合量が１０質量部未満では十分な難燃性が得られず、５０質量部を超えると、機械的特性が低下する。
【００３０】
本発明で使用される電気絶縁性組成物には、引張強さなどの機械的特性を向上させる目的で、（Ｅ）無機充填剤を配合することができる。無機充填剤としては、炭酸カルシウム、溶融シリカ、結晶シリカ、タルク、クレー、アルミナ、ジルコニア、マイカ、チタンホワイト、ベンガラ、炭化珪素、窒化硼素、窒化珪素、窒化アルミなどが挙げられる。なかでも、炭酸カルシウム、タルクが、耐熱性の点から好ましい。また、これらは、明色配合が可能であるという利点も有する。炭酸カルシウムは、重質炭酸カルシウムおよび軽質炭酸カルシウムのいずれも使用可能である。無機充填剤を配合する場合、その配合量は前述したベースポリマー成分の合計量１００質量部に対して好ましくは１〜２００質量部であり、より好ましくは１０〜１００質量部である。
【００３１】
本発明で使用される電気絶縁性組成物には、以上の各成分のほか、この種の組成物に一般に配合される加工助剤、分散剤、着色剤、老化防止剤、滑剤などの添加剤を、本発明の効果を阻害しない範囲で必要に応じて配合することができる。
【００３２】
例えば、加工助剤として、ポリエチレンワックス、ステアリン酸ナトリウムなどをポリマー成分１００質量部に対して０．５〜２．０質量部配合することができる。また、分散剤として脂肪族炭化水素樹脂混合物などをポリマー成分１００質量部に対して０．５〜２．０質量部配合することができる。このような加工助剤や分散剤を配合することにより、ポリマーのブレンドに伴う機械的強度や耐熱性などの特性の低下を抑制することができるとともに、押出成形時の加工性を向上させることができる。具体的には、加工助剤として、ＡＣ−６１７Ａ（商品名、ハネウェル社製；ポリエチレンワックス）などが使用される。また、分散剤として、ＵＬＴＲＡ−ＬＵＢＥ７９０（商品名、パフォーマンスアディティブス社製；脂肪酸エステル／特殊潤滑剤混合物）などが使用される。
【００３３】
また、上述した臭素系難燃剤や三酸化アンチモン以外の他の難燃剤および難燃助剤も、本発明の効果を阻害しない範囲で配合することができる。そのような難燃剤および難燃助剤としては、水酸化マグネシウム、水酸化アルミニウムなどの金属水和物、グアニジン系、メラミン系などの窒素系難燃剤、リン酸アンモニウム、赤燐などのリン系難燃剤、リン−窒素系難燃剤、ホウ酸亜鉛などのホウ酸化合物などが例示される。
【００３４】
本発明で使用される電気絶縁性組成物は、通常、成形（被覆）後、架橋される。架橋方法は特に限定されるものではなく、架橋剤を用いる化学架橋、電子線などの放射線による架橋など、任意の方法を用いることができる。化学架橋に用いる架橋剤としては、有機過酸化物が好ましく、例えば、１，３−ビス−（ｔ−ブチルパーオキシイソプロピル）ベンゼンなどが使用される。また、このような架橋剤とともに、トリアリルイソシアヌレートなどの架橋助剤を併用することが好ましい。有機過酸化物は、ポリマー成分１００質量部に対して、０．５〜２．０質量部配合することが好ましく、また、架橋助剤は、ポリマー成分１００質量部に対して、０．５〜１０．０質量部配合することが好ましい。
【００３５】
電気絶縁性組成物は、上記したような（Ａ）テトラフルオロエチレン−プロピレン共重合体、（Ｂ）ポリオレフィン、（Ｃ）エチレンビス（ペンタブロモフェニル）および（Ｄ）三酸化アンチモン、並びに、必要に応じて配合される各種成分を、オープンロール、バンバリーミキサ、加圧ニーダなどによって十分に混練することにより製造することができる。（Ｃ）成分、（Ｄ）成分および（Ｅ）成分や、加工助剤、分散剤などの添加剤は、（Ａ）成分および（Ｂ）成分をそれぞれ素練りする際に予め混合しておいてもよい。
【００３６】
本発明の耐熱難燃絶縁電線は、上記のようにして得られた電気絶縁性組成物を、導体上に直接もしくは他の被覆を介して押出被覆し、架橋することにより製造される。組成物は未架橋状態での粘着性が小さいため、被覆が未架橋状態のままドラムに巻き取っても被覆同士が強く粘着することはない。したがって、架橋工程は押出被覆工程と別工程で行ってもよく、単一工程で連続して行ってもよい。なお、導体の材質や外径、撚り合せの有無などは特に限定されるものではなく、用途によって適宜選択される。
【００３７】
図１は、本発明の耐熱難燃絶縁電線の一実施形態を示す横断面図である。
【００３８】
図１において、符号１１は、１本乃至複数本のすずめっき軟銅線などからなる導体を示し、この導体１１上には、前述した電気絶縁性組成物を押出被覆し、架橋することによって絶縁体１２が形成されている。
【００３９】
本実施形態の絶縁電線は、以下の要件を満足するように構成されていることが好ましい。
（１）電線全体として、ＶＷ−１垂直燃焼試験（ＵＬ  １５８１）に合格する難燃性を有する。
（２）絶縁体１２の熱老化（１８０℃、３３６時間）後の引張強さが４．０ＭＰａ以上で、引張伸びが５０％以上である。なお、引張強さおよび引張伸びは、ＪＩＳ  Ｃ  ３００５に準拠して測定される値である。
【００４０】
本実施形態の絶縁電線においては、電気用品の技術基準に基づく耐熱温度１３０〜１５０℃の耐熱性と、ＵＬ規格の垂直燃焼試験（ＶＷ−１）に合格する難燃性を併せ持つことができる。そのうえ、従来のフッ素ゴムを使用した電線のように、架橋工程が制限されることはなく、価格の上昇も抑制される。
【実施例】
【００４１】
次に、本発明を実施例によりさらに詳細に説明するが、本発明はこれらの実施例に何ら限定されるものではない。実施例および比較例で用いた成分は以下の通りである。
【００４２】
ＦＥＰＭ（テトラフルオロエチレン−プロピレン共重合体）
旭硝子（株）製  商品名 ＡＦＬＡＳ １５０ＣＳ
ＬＤＰＥ（低密度ポリエチレン）：
日本ユニカー（株）製  商品名 ＮＵＣ ９０２６
ＨＤＰＥ（高密度ポリエチレン）：
プライムポリマー（株）製  商品名 ハイゼックス ５３０５Ｅ
ＥＥＡ（エチレン・アクリル酸エチル共重合体）：
日本ポリエチレン（株）製  商品名 レクスパール ＥＥＡ Ａ １１５０
エチレンビス（ペンタブロモフェニル）：
ＡＬＢＥＭＡＲＬＥ社製  商品名 ＳＡＹＴＥＸ ８０１０
重質炭酸カルシウム：
白石カルシウム（株）製  商品名 ホワイトンＳＳＢ
【００４３】
実施例１
ＦＥＰＭ５０質量部、ＬＤＰＥ５０質量部、エチレンビス（ペンタブロモフェニル）２．０質量部、三酸化アンチモン３０質量部および重質炭酸カルシウム３０質量部をオープンロールを用いて十分に混練して電気絶縁性組成物を調製した。
【００４４】
次いで、直径０．１８ｍｍのすずめっき軟銅線１２本を集合撚りしてなる断面積０．３ｍｍ２の銅撚線導体上に、上記電気絶縁性組成物を０．３３ｍｍ厚に押出被覆し、加速電圧８００ｋＶの電子線照射装置で２００ｋＧｙの電子線を照射して絶縁体を形成し、外径１．３８ｍｍの絶縁電線を製造した。
【００４５】
実施例２〜９、比較例１〜９
電気絶縁性組成物の組成を表１に示すように変えた以外は、実施例１と同様にして電気絶縁性組成物を調製し、さらに、これらの組成物を用いて実施例１と同様にして絶縁電線を製造した。
【００４６】
上記各実施例および各比較例で得られた絶縁電線について、初期の機械的特性（引張強さ、伸び）、耐熱性（耐熱老化性）および難燃性を評価した。また、絶縁電線とは別に、上記各実施例および各比較例で得られた電気絶縁性組成物を用いて、１００ｍｍ×１００ｍｍ×１ｍｍの未架橋シートを作成し、この未架橋シートについて（未架橋時の）粘着性を評価した。評価方法は以下に示すとおりである。
［初期引張強さおよび初期引張伸び］
ＪＩＳ  Ｃ  ３００５に準拠して、標線２０ｍｍ、引張速度５００ｍｍ／分の条件で測定した。
［耐熱性］
１８０℃で３３６時間熱老化させた後、ＪＩＳ  Ｃ  ３００５に準拠して、標線２０ｍｍ、引張速度５００ｍｍ／分の条件で、引張強さおよび伸びを測定した。
［難燃性］
ＵＬ１５８１に規定する垂直燃焼試験（ＶＷ−１）を行い、評価した。
［未架橋時の粘着性］
未架橋シートを２枚重ね、均一に５００ｇ載荷し、５０℃の恒温槽に１時間放置した。放置後、恒温槽より取り出して室温にまで冷却し、２枚のシートを引き剥がした。引き剥がし後の各シートについて、１００ｍｍ×１００ｍｍ面の対角線の長さを測定して平均値を算出し、初期値からの変化率を求め、次の基準で評価した。
◎：対角線の長さ変化率７％以下、破れおよび裂けなし
○：対角線の長さ変化率１０％以下、破れおよび裂けなし、
×：対角線の長さ変化率１０％超、あるいは破れまたは裂けあり
【００４７】
これらの結果を表１に示す。
【００４８】
【表１】
0005425973.tif 000004
【００４９】
表１から明らかなように、実施例１〜９はいずれも初期引張強さ、初期引張伸び、耐熱性、垂直燃焼試験および未架橋時の粘着性において良好な結果が得られた。また、ベースポリマーにおけるテトラフルオロエチレン−プロピレン共重合体の含有量を５５〜８５質量％、ポリオレフィンの含有量を１５〜４５質量％とすることで、初期引張強さ、初期引張伸びにおいて、さらに良好な結果が得られた（実施例４〜７）。さらに、ベースポリマー１００質量部に対するエチレンビス（ペンタブロモフェニル）の含有量を２〜１５質量部、三酸化アンチモンの含有量を１５〜３５質量部とすることで、耐熱性、未架橋時の粘着性において、さらに良好な結果が得られた（実施例５、６）。
【符号の説明】
【００５０】
１１…導体、１２…絶縁体。
【図１】
0005425973.tif 000005